(57)【特許請求の範囲】
【請求項１】
配線を収納して地中に埋設された複数の埋設鞘管を束ねて、構造物の側面に沿って前記配線を地上に導く立上鞘管に接続させる集束継手であって、
前記複数の埋設鞘管が嵌め合わされる複数のスリーブ部を有する底版部と、前記立上鞘管が嵌め合わされる立上筒部と、前記底版部から挿入された前記配線を前記立上筒部へ誘導するテーパ状側面部と、を備えるとともに、
前記立上筒部の外周面と、前記テーパ状側面部の外周面の下端又は前記底版部の外周面と、は前記立上筒部の軸方向にみて少なくとも一箇所において略同一直線上に位置することを特徴とする集束継手。
【請求項２】
前記立上筒部の前記テーパ状側面部に対する付け根には、前記立上鞘管の端部を当接させる括れ部が形成され、
前記テーパ状側面部の前記構造物の側面に沿う側の外周面は、前記括れ部から底版部へ前記立上筒部の中心軸から遠ざかる方向に傾斜されて、
前記テーパ状側面部の外周面の下端は、前記立上筒部の外周面と前記立上筒部の軸方向にみて少なくとも一箇所において略同一直線上に位置することを特徴とする請求項１に記載の集束継手。
【請求項３】
前記立上筒部の前記テーパ状側面部に対する付け根には、前記立上鞘管の端部を当接させる括れ部が形成され、
前記テーパ状側面部の前記構造物の側面に沿う側の外周面は、前記立上筒部の軸方向に平行に形成されるとともに、前記底版部の周縁には前記括れ部の深さと略同一の厚さの直立壁部が設けられ、
前記直立壁部は、前記テーパ状側面部の下端を覆うように嵌め合わされて、
前記底版部の直立壁部の外周面は、前記立上筒部の外周面と前記立上筒部の軸方向にみて少なくとも一箇所において略同一直線上に位置することを特徴とする請求項１に記載の集束継手。
【請求項４】
前記立上筒部、前記テーパ状側面部及び前記底版部の前記構造物の側面に沿う側の外周面には、前記構造物の外面に嵌合する凹部が設けられることを特徴とする請求項１乃至請求項３のいずれか一項に記載の集束継手。
【発明の詳細な説明】
【技術分野】
【０００１】
本発明は、電力や通信などの複数の配線を地中から地上にまとめて立ち上げる集束継手に関するものである。
【背景技術】
【０００２】
従来、電力や通信などの配線を、地中に埋設された管路から電柱などの構造物の側面に沿って地上に立ち上げる場合、地上部分は構造物の側面に沿って配設された鋼管に挿通することで保護されている。
【０００３】
この場合、埋設された複数の管路から複数の鋼管に接続するための継手は、それぞれの配線ごとに準備しておくことが一般的であった。
【０００４】
しかしながら、このように配線ごとに鋼管や継手を設けると、電柱などの構造物の周辺の見栄えが悪くなるうえに、配設するスペースが狭いと、鋼管や継手を配設できなくなる場合があった。
【０００５】
このような問題を解決するために、特許文献１では、ステンレス製の継手によって管路を一本に集約して、電柱などの構造物の側面に沿って固定することで、一括した管理を可能にするとともに、見栄えも良好となる配線保護方法が開示されている。
【特許文献１】特開２００４−２３６４３４号公報
【発明の開示】
【発明が解決しようとする課題】
【０００６】
しかしながら、前記した特許文献１の継手は、固定バンドによって固定枠部を締め付けて構造物に固定されるものであるため、構造物に沿う側の外周面に凹凸があると、構造物に対して斜めに取り付けられることになっていた。
【０００７】
このように、継手が構造物に対して斜めに取り付けられると、立上げのための鞘管を挿入できなくなるおそれがあった。
【０００８】
そこで、本発明は、構造物の側面に沿って取り付けできる集束継手を提供することを目的としている。
【課題を解決するための手段】
【０００９】
前記目的を達成するために、本発明の集束継手は、配線を収納して地中に埋設された複数の埋設鞘管を束ねて、構造物の側面に沿って前記配線を地上に導く立上鞘管に接続させる集束継手であって、前記複数の埋設鞘管が嵌め合わされる複数のスリーブ部を有する底版部と、前記立上鞘管が嵌め合わされる立上筒部と、前記底版部から挿入された前記配線を前記立上筒部へ誘導するテーパ状側面部と、を備えるとともに、前記立上筒部の外周面と、前記テーパ状側面部の外周面の下端又は前記底版部の外周面と、は前記立上筒部の軸方向にみて少なくとも一箇所において略同一直線上に位置することを特徴とする。
【００１０】
また、前記立上筒部の前記テーパ状側面部に対する付け根には、前記立上鞘管の端部を当接させる括れ部が形成され、前記テーパ状側面部の前記構造物の側面に沿う側の外周面は、前記括れ部から底版部へ前記立上筒部の中心軸から遠ざかる方向に傾斜されて、前記テーパ状側面部の外周面の下端は、前記立上筒部の外周面と前記立上筒部の軸方向にみて少なくとも一箇所において略同一直線上に位置する構成とすることができる。
【００１１】
さらに、前記立上筒部の前記テーパ状側面部に対する付け根には、前記立上鞘管の端部を当接させる括れ部が形成され、前記テーパ状側面部の前記構造物の側面に沿う側の外周面は、前記立上筒部の軸方向に平行に形成されるとともに、前記底版部の周縁には前記括れ部の深さと略同一の厚さの直立壁部が設けられ、前記直立壁部は、前記テーパ状側面部の下端を覆うように嵌め合わされて、前記底版部の直立壁部の外周面は、前記立上筒部の外周面と前記立上筒部の軸方向にみて少なくとも一箇所において略同一直線上に位置する構成とすることができる。
【００１２】
そして、前記立上筒部、前記テーパ状側面部及び前記底版部の前記構造物の側面に沿う側の外周面には、前記構造物の外面に嵌合する凹部が設けられる構成とすることができる。
【発明の効果】
【００１３】
このように、本発明の集束継手は、複数の埋設鞘管が嵌め合わされる複数のスリーブ部を有する底版部と、立上鞘管が嵌め合わされる立上筒部と、底版部から挿入された配線を立上筒部へ誘導するテーパ状側面部と、を備えるとともに、立上筒部の外周面と、テーパ状側面部の外周面の下端又は底版部の外周面と、は立上筒部の軸方向にみて略同一直線上に位置している。
【００１４】
したがって、立上筒部の外周面と、テーパ状側面部の外周面の下端又は底版部の外周面と、の上下の２箇所が構造物の側面に当接することで、構造物の側面に沿って平行に取り付けることができる。
【００１５】
また、立上筒部のテーパ状側面部に対する付け根には、立上鞘管の端部を当接させる括れ部が形成され、テーパ状側面部の構造物の側面に沿う側の外周面は、括れ部から底版部へ立上筒部の中心軸から遠ざかる方向に傾斜されて、テーパ状側面部の外周面の下端は、立上筒部の外周面と立上筒部の軸方向にみて略同一直線上に位置する構成とされている。
【００１６】
したがって、きわめて簡単な構成によって、立上筒部の外周面と、テーパ状側面部の外周面の下端と、の上下の２箇所が構造物の側面に当接することで、構造物の側面に沿って取り付けることができる。
【００１７】
さらに、立上筒部のテーパ状側面部に対する付け根には、立上鞘管の端部を当接させる括れ部が形成され、テーパ状側面部の構造物の側面に沿う側の外周面は、立上筒部の軸方向に平行に形成されるとともに、底版部の周縁には括れ部の深さと略同一の厚さの直立壁部が設けられ、直立壁部は、テーパ状側面部の下端を覆うように嵌め合わされて、底版部の直立壁部の外周面は、立上筒部の外周面と立上筒部の軸方向にみて略同一直線上に位置する構成とされている。
【００１８】
したがって、きわめて簡単な構成によって、立上筒部の外周面と、底版部の外周面と、の上下の２箇所が構造物の側面に当接することで、構造物の側面に沿って取り付けることができる。
【００１９】
そして、立上筒部、テーパ状側面部及び底版部の構造物の側面に沿う側の外周面には、構造物の外面に嵌合する凹部が設けられているため、内部空間を有効に利用しつつ、構造物に対する取付方向を規定することができる。
【発明を実施するための最良の形態】
【００２０】
以下、本発明の最良の実施の形態について図面を参照して説明する。
【００２１】
まず、図２を用いて本発明の集束継手３を備える埋設管立上構造Ｃの全体構成を説明する。
【００２２】
本実施の形態の埋設官立上構造Ｃは、図２に示すように、電力や通信などの配線を収納して地中に埋設された複数の埋設鞘管としての曲管４１，・・・と、構造物としての電柱１１の側面に沿って配線をまとめて地上に導く立上鞘管２１と、曲管４１，・・・を集約して立上鞘管２１に接続させる集束継手３と、を備えている。
【００２３】
そして、このように集束継手３の上部に立上鞘管２１が接続され、下部に複数の曲管４１，・・・が接続された状態で、周囲にコンクリート１３が打設されている。
【００２４】
この埋設鞘管としての曲管４１は、地盤１２に埋設された配線を収納して保護するために、塩化ビニルなどの樹脂によって円筒状に形成されて地盤１２に埋設されている。
【００２５】
また、この曲管４１の中央近傍は、９０°に曲げられているため、地表面１２ａに平行に埋設された鞘管（不図示）の端部に接続されて、鞘管に収納された配線を地表面１２ａに略垂直に立ち上げるように形成されている。
【００２６】
そして、複数の曲管４１，・・・の立ち上げられた上端は、集束継手３の底版部３１に設けられた複数のスリーブ３４，・・・に挿入されて、接着剤によって固定されている。
【００２７】
なお、埋設鞘管は、上記した曲管４１に限定されるものではなく、配線を収納して立ち上げるものであればどのようなものでもよい。例えば、屈曲自在の自在管などを用いることができる。
【００２８】
さらに、立上鞘管２１は、地上に立ち上げる複数の配線をまとめて保護するために、上記した曲管４１より径の大きい円筒状の鋼管などによって形成されるもので、電柱１１の側面に金属製のバンド（不図示）などによって固定されている。
【００２９】
加えて、この立上鞘管２１の下端２１ａは、集束継手３の立上筒部３２に挿入されて、接着剤によって固定されている。
【００３０】
そして、本実施の形態の集束継手３は、図１，３に示すように、複数の埋設鞘管としての曲管４１，・・・がそれぞれ挿入される複数のスリーブ部３４，・・・を有する底版部３１と、立上鞘管２１が挿入される立上筒部３２と、底版部３１から挿入された配線を立上筒部３２へ誘導するテーパ状側面部３３と、を備えている。
【００３１】
この底版部３１は、樹脂などによって厚肉の円盤状に形成された本体部３１０に均等に正方形の頂点位置に配設された円形の差込孔３１２，・・・にスリーブ部３４，・・・が取り付けられて形成されている。
【００３２】
また、スリーブ部３４は、差込孔３１２に挿入される内管３４１と、この内管３４１の外側に嵌め合わされる外管３４２と、を備えている。
【００３３】
この内管３４１は、樹脂などによって差込孔３１２の内径と略同一の外径を有する円筒状に形成されるもので、上方の端部が鍔状に開かれて本体部３１０に接着されているため、本体部３１０から抜けなくなっているとともに、本体部３１０に対して略垂直に固定されている。
【００３４】
そして、内管３４１が本体部３１０から下方に突出した付け根には、ゴム製のＯリング３４３が嵌め合わされており、内管３４１と本体部３１０との隙間及び外管３４２と本体部３１０との隙間を止水している。
【００３５】
さらに、外管３４２は、樹脂などによって内管３４１の外径と略同一の内径を有する円筒状に形成されるもので、内面に設けた円環状の突起まで内管３４１の外側に嵌め合わされて接着されている。そして、外管３４２の内面に設けた突起から先端側には、内管３４１と略同一径の埋設鞘管４１を挿入することができる。
【００３６】
また、立上筒部３２は、樹脂などによって立上鞘管２１の外径と略同一の内径を有する円筒状に形成されるもので、下端には円筒の径を縮径した括れ部３２１が設けられている。
【００３７】
この括れ部３２１は、立上鞘管２１の下端２１ａを当接させるために、立上筒部３２の内径を立上鞘管２１の肉厚と同程度以上縮径して形成されるもので、後述するテーパ状側面部３３に一体に接続されている。
【００３８】
さらに、テーパ状側面部３３は、樹脂などによって先端を切り落とした円錐側面状に形成されるもので、上端は立上筒部３２の括れ部３２１に接続して形成され、下端に底版部３１の本体部３１０が嵌め合わされて接着されている。
【００３９】
そして、本実施の形態では、テーパ状側面部３３の電柱１１の側面に沿う側の外周面３３ａは、上端に接続される括れ部３２１から下端の底版部３１へ向かって、立上筒部３２の中心軸から遠ざかる方向に傾斜されており、テーパ状側面部３３の外周面３３ａの下端３３ｃは、立上筒部３２の外周面３２ａと、立上筒部３２の軸方向にみて、略同一直線Ｌ上に位置している。
【００４０】
すなわち、立上筒部３２の下端は、一定の幅だけ縮径されて括れ部３２１が形成されているため、立上筒部３２の縮径されない円筒部分の外周面３２ａからその幅分だけ後退している。
【００４１】
そこで、テーパ状側面部３３の外周面３３ａの下端３３ｃが、立上筒部３２の縮径されない円筒部分の外周面３２ａと略同一直線Ｌ上になる位置まで、括れ部３２１の深さに対応する分だけ下方に向かって開くように傾斜されている。
【００４２】
したがって、電柱１１の側面に設置された際には、立上筒部３２の外周面３２ａと、テーパ状側面部３３の外周面３３ａの下端３３ｃと、によって２点で接することになり、この２点が立上筒部３２の軸方向に平行になっているため、立上筒部３２の軸方向と電柱１１の側面の方向とが一致することになる。
【００４３】
ここにおいて、上記したテーパ状側面部３３の立上筒部３２の軸方向に対する傾斜角度としては、スリーブ部３４を通じて集束継手３の内部に配線を挿入した際に支障にならないように、１５度から２５度に形成することが好ましく、さらに好ましくは２０度から２１度がよい。
【００４４】
次に、集束継手３を備える埋設管立上構造Ｃの施工方法について、図２を用いて説明する。
【００４５】
まず、工場において立上筒部３２とテーパ状側面部３３とを一体に成型するとともに、別工程で本体部３１０に内管３４１，・・・と外管３４２，・・・とを接着して底版部３１とする（図１参照）。
【００４６】
つづいて、この立上筒部３２及びテーパ状側面部３３の下端に、底版部３１を嵌め合わせて接着する。
【００４７】
次に、地盤１２を掘削して、あらかじめ埋設された曲管４１，・・・の立ち上げられた上端４１ａを、底版部３１のスリーブ部３４に挿入して接着剤によって固定する。
【００４８】
次に、集束継手３を仮止め用の鉄線などによって電柱１１に仮固定する。この際、立上筒部３２の外周面とテーパ状側面部３３の外周面とは立上筒部３２の軸方向と平行になるように設置される。
【００４９】
そして、最後に、立上筒部３２に立上鞘管２１を挿入して接着剤によって固定し、掘削した箇所にコンクリート１３を打設して施工が完了する。
【００５０】
なお、同時に配線を挿通する場合には、上記した工程において、集束継手３を仮固定する際などに、配線を集束継手３の位置まで挿通させていったん配線を取り出し、立上鞘管２１に挿通させる。
【００５１】
次に、本実施の形態の集束継手３の作用について説明する。
【００５２】
このように、本実施の形態の集束継手３は、複数の埋設鞘管４１，・・・が嵌め合わされる複数のスリーブ部３４，・・・を有する底版部３１と、立上鞘管２１が嵌め合わされる立上筒部３２と、底版部３１から挿入された配線を立上筒部３２へ誘導するテーパ状側面部３３と、を備えるとともに、立上筒部３２の外周面３２ａと、テーパ状側面部３３の外周面３３ａの下端３３ｃと、は立上筒部３２の軸方向にみて略同一直線Ｌ上に位置している。
【００５３】
したがって、立上筒部３２の外周面３２ａと、テーパ状側面部３３の外周面３３ａの下端３３ｃと、の上下の２箇所が構造物としての電柱１１の側面に当接することで、集束継手３を電柱１１の側面に沿って平行に取り付けることができる。
【００５４】
すなわち、立上筒部３２の外周面３２ａと、テーパ状側面部３３の外周面３３ａの下端３３ｃと、の２点が立上筒部３２の軸方向に平行になって電柱１１と接しているため、立上筒部３２の軸方向と電柱１１の側面の方向とが一致することになる。
【００５５】
そして、立上筒部３２の軸方向と立上鞘管２１の設置方向とが一致すれば、立上鞘管２１を立上筒部３２に挿入して接着する際に、立上鞘管２１の外周面と立上筒部３２の内周面とが面で接することになるため、止水性が良好になるとともに、取付強度も大きくすることができる。
【００５６】
このように、止水性や取付強度を向上させることは、そもそも、電柱１１などの構造物に配線を増設する際に、地盤１２を掘削しないで施工することを目的の１つとしている集束継手３を使用する場面では、特に効果が大きいといえる。
【００５７】
すなわち、従来のように、立上筒部３２と立上鞘管２１とを接続する際に、取付強度が小さかったり、止水が不完全であったりして、補修工事が必要となって、多大な費用と労力とを要するということがなくなる。
【００５８】
そして、上記のように、あらかじめ複数の埋設鞘管４１が接続された集束継手３を埋設しておくことで、新たに通信や電力などの配線を挿通させる際に、地盤１２を掘削しなくてよい。
【００５９】
また、立上筒部３２のテーパ状側面部３３に対する付け根には、立上鞘管２１の端部２１ａを当接させる括れ部３２１が形成され、テーパ状側面部３３の構造物の側面に沿う側の外周面３３ａは、上端の括れ部３２１から下端へ立上筒部３２の中心軸から遠ざかる方向に傾斜されて、テーパ状側面部３３の外周面３３ａの下端３３ｃは、立上筒部３２の外周面３２ａと立上筒部３２の軸方向にみて略同一直線Ｌ上に位置している。
【００６０】
したがって、きわめて簡単な構成によって、立上筒部３２の外周面３２ａと、テーパ状側面部３３の外周面３３ａの下端３３ｃと、の上下の２箇所が構造物としての電柱１１の側面に当接することで、構造物としての電柱１１の側面に沿って取り付けることができる。
【００６１】
加えて、上記のように構成すれば、構造物としての電柱１１がどのような外径を有する場合であっても、電柱１１の側面に平行に集束継手３を取り付けることが可能となる。
【００６２】
さらに、本実施の形態の集束継手３では、テーパ状側面部３３が傾斜されているため、スリーブ部３４を通じて下方から配線を挿入した際に、特に支障となることはない。
【００６３】
つまり、立上鞘管２１を挿入して適切な位置で止めるためには、集束継手３の内部に突起が必要となるが、突起を設けた場合には、スリーブ部３４を通じて配線を挿入した場合に突起に引っ掛かる可能性がある。
【００６４】
これに対して、本実施の形態のように、立上鞘管２１を適切な位置で止めるために括れ部３２１を設けるとともに、括れ部３２１の下方のテーパ状側面部３３をテーパ状にしてやれば括れ部３２１に配線が引っ掛かることはない。
【実施例１】
【００６５】
以下、図４，５を用いて、前記実施の形態とは別の集束継手３Ａについて説明する。
【００６６】
なお、前記実施の形態で説明した内容と同一乃至均等な部分の説明については同一符号を付して説明する。
【００６７】
本実施例では、射出成形によって集束継手を製造する場合などにおいて、底版部に直立壁部を設ける場合について説明する。
【００６８】
まず、構成から説明すると、本実施例の集束継手３Ａは、図４，５に示すように、立上鞘管２１が挿入される立上筒部３２と、底版部３１から挿入された配線を立上筒部３２へ誘導するテーパ状側面部３３と、複数の埋設鞘管としての曲管４１，・・・がそれぞれ挿入される複数のスリーブ部３５２，・・・を有する底版部３５と、を備えている。
【００６９】
この立上筒部３２は、樹脂などによって立上鞘管２１の外径と略同一の内径を有する円筒状に形成されるもので、下端には円筒の径を縮径した括れ部３２１が設けられている。
【００７０】
また、テーパ状側面部３３は、樹脂などによって先端を切り落とした円錐側面状に形成されるもので、上端は立上筒部３２の括れ部３２１に接続して形成され、下端に底版部３５の本体部３５０が嵌め合わされて接着されている。
【００７１】
そして、本実施の形態では、テーパ状側面部３３の電柱１１の側面に沿う側の外周面３３ａは、上端に接続される括れ部３２１から下端へ向かって、立上筒部３２の軸方向と平行に形成されている。したがって、テーパ状側面部３３の外周面３３ａの下端３３ｃは、括れ部３２１の幅分だけ後退している。
【００７２】
そして、本実施例の底版部３５は、樹脂によって射出成形されるもので、円盤状の本体部３５０と、この本体部３５０の周縁に立設された直立壁部３５１と、本体部３５０に突設された複数のスリーブ部３５２，・・・と、を一体に備えている。
【００７３】
この直立壁部３５１は、本体部３５０のスリーブ３５２，・・・が設けられる面と反対側の面の周縁に、本体部３５０と一体の略垂直な壁状に形成されるもので、括れ部３２１の深さと略同一の厚さを有している。
【００７４】
したがって、底版部３５の直立壁部３５１の外周面３５ａは、立上筒部３２の外周面３２ａと立上筒部３２の軸方向にみて略同一直線Ｌ上に位置している。
【００７５】
また、スリーブ部３５２は、本体部３５０と一体の円筒状に形成されるもので、本体部３５０の直立壁部３５１が設けられる面と反対側の面において、正方形の頂点となる位置に均等に４つ突出して設けられている。
【００７６】
さらに、このスリーブ部３５２は本体部３５０に対する付け根の内径が縮径されているため、埋設鞘管としての曲管４１を挿入した際に端面を当接させて位置を決めることができる。
【００７７】
次に作用について説明する。
【００７８】
このように、本実施例の集束継手３Ａは、立上筒部３２のテーパ状側面部３３に対する付け根には、立上鞘管２１の端部を当接させる括れ部３２１が形成され、テーパ状側面部３３の構造物の側面に沿う側の外周面３３ａは、立上筒部３２の軸方向に平行に形成されるとともに、底版部３５の周縁には括れ部３２１の深さと略同一の厚さの直立壁部３５１が設けられ、直立壁部３５１は、テーパ状側面部３３の下端３３ｃを覆うように嵌め合わされて、底版部３５の直立壁部３５１の外周面３５ａは、立上筒部３２の外周面３２ａと立上筒部３２の軸方向にみて略同一直線Ｌ上に位置している。
【００７９】
したがって、きわめて簡単な構成によって、立上筒部３２の外周面３２ａと、底版部３５の外周面３５ａと、の上下の２箇所が構造物の側面に当接することで、構造物の側面に沿って取り付けることができる。
【００８０】
すなわち、立上筒部３２の外周面３２ａと、底版部３５の外周面３５ａと、の２点が立上筒部３２の軸方向に平行になって電柱１１と接しているため、立上筒部３２の軸方向と電柱１１の側面の方向とが一致することになる。
【００８１】
このように、立上筒部３２の軸方向と、立上鞘管２１の設置方向と、が一致すれば、立上鞘管２１を立上筒部３２に挿入して接着する際に、立上鞘管２１の外周面と立上筒部３２の内周面とが面で接することになるため、止水性が良好になるとともに、取付強度も大きくすることができる。
【００８２】
また、スリーブ部３５２は、本体部３５０と一体に形成されるものであるため、前記実施の形態のように内管３４１に外管３４２を嵌め合わさなくてもよく、全体の長さを前記実施の形態のスリーブ部３４よりも短くすることができる。
【００８３】
なお、この他の構成および作用効果については、前記実施の形態と略同様であるため説明を省略する。
【実施例２】
【００８４】
以下、図６を用いて、前記実施の形態及び実施例１とは別の集束継手３Ｂについて説明する。
【００８５】
なお、前記実施の形態で説明した内容と同一乃至均等な部分の説明については同一符号を付して説明する。
【００８６】
本実施例では、集束継手の側面に、構造物の外面に嵌合する凹部を設ける場合について説明する。
【００８７】
まず構成から説明すると、本実施例の集束継手３Ｂは、図６に示すように、立上鞘管２１が挿入される立上筒部３２と、底版部３１から挿入された配線を立上筒部３２へ誘導するテーパ状側面部３３と、複数の埋設鞘管としての曲管４１，・・・がそれぞれ挿入される複数のスリーブ部３５２，・・・を有する底版部３５と、を備えている。
【００８８】
この立上筒部３２は、樹脂などによって立上鞘管２１の外径と略同一の内径を有する円筒状に形成されるもので、下端には円筒の径を縮径した括れ部３２１が設けられている。
【００８９】
また、テーパ状側面部３３は、樹脂などによって先端を切り落とした円錐側面状に形成されるもので、上端は立上筒部３２の括れ部３２１に接続して形成され、下端に底版部３５の本体部３５０が嵌め合わされて接着されている。
【００９０】
さらに、テーパ状側面部３３の電柱１１の側面に沿う側の外周面３３ａは、上端に接続される括れ部３２１から下端へ向かって、立上筒部３２の中心軸と平行に形成されている。したがって、テーパ状側面部３３の外周面３３ａの下端３３ｃは、立上筒部３２から括れ部３２１の幅分だけ後退している。
【００９１】
このように、底版部３５の直立壁部３５１の外周面３５ａは、立上筒部３２の外周面３２ａと立上筒部３２の軸方向にみて略同一直線Ｌ上に位置している。
【００９２】
そして、本実施例の集束継手３Ｂには、立上筒部３２、テーパ状側面部３３及び底版部３５の構造物としての円形断面の電柱の側面に沿う側の外周面３２ａ，３３ａ，３５ａに、電柱の外面に嵌合する円弧状の凹部３２ｂ，３３ｂ，３５ｂが設けられている。
【００９３】
つまり、立上筒部３２の軸方向にみて略同一直線Ｌ上に位置している、底版部３５の直立壁部３５１の外周面３５ａと、立上筒部３２の外周面３２ａと、は略同一形状の円弧状の凹部３５ｂ，３２ｂが設けられている。
【００９４】
加えて、テーパ上側面部３３の外周面３３ａにも、上記した底版部３５の直立壁部３５１の外周面３５ａに設けた円弧状の凹部３５ｂに嵌合する円弧状の凹部３３ｂが設けられている。
【００９５】
次に、作用について説明する。
【００９６】
このように、本実施例の集束継手３Ｂの立上筒部３２、テーパ状側面部３３及び底版部３５の構造物の側面に沿う側の外周面３２ａ，３３ａ，３５ａには、構造物の外面に嵌合する凹部３２ｂ，３３ｂ，３５ｂが設けられているため、内部空間を有効に利用しつつ、構造物に対する取付方向を規定することができる。
【００９７】
すなわち、構造物として円形断面の電柱を用いた場合、集束継手３Ｂの外周面３２ａ，３３ａ，３５ａに、この電柱に嵌合するように電柱の外径と略同一径の円弧状の凹部３２ｂ，３３ｂ，３５ｂが設けられる。
【００９８】
そして、この円弧状の凹部３２ｂ，３３ｂ，３５ｂが電柱の軸方向に平行に並んでいるため、結果として集束継手３Ｂも電柱の軸方向に平行に設置されることになる。
【００９９】
さらに、この円弧状の凹部３２ｂ，３３ｂ，３５ｂは、図６に示すように、スリーブ部３５２，・・・の延長線上を避けて設けられているため、スリーブ部３５２，・・・を通じて配線を挿入する際にも、配線が引っ掛かることはない。
【０１００】
加えて、仮に、構造物としての円形断面の電柱の外径が、円弧状の凹部３２ｂ，３３ｂ，３５ｂの径よりも大きい場合でも、この円弧状の凹部３２ｂ，３２ｂ，３５ｂの両端の２点と電柱とは当接することになるため、取付方向を規定することは可能である。
【０１０１】
なお、この他の構成および作用効果については、前記実施の形態及び実施例１と略同様であるため説明を省略する。
【０１０２】
以上、図面を参照して、本発明の最良の実施の形態及び実施例を詳述してきたが、具体的な構成は、この実施の形態又は実施例に限らず、本発明の要旨を逸脱しない程度の設計的変更は、本発明に含まれる。
【０１０３】
例えば、前記実施の形態及び実施例１，２では、構造物として電柱を用いる場合について説明したが、これに限定されるものではなく、建造物の壁など、配線を立ち上げるための構造物であればどのようなものであってもよい。
【０１０４】
また、前記実施の形態及び実施例１，２では、円筒状の立上鞘管２１や埋設鞘管４１を用いる場合について説明したが、これに限定されるものではなく、正方形断面や長方形断面など、どのような断面形状の立上鞘管であってもよい。
【０１０５】
さらに、前記実施の形態及び実施例１，２では、立上筒部３２に括れ部３２１を設ける場合について説明したが、これに限定されるものではなく、括れ部を設けないものであってもよい。
【０１０６】
そして、前記実施例２では、直立壁部３５１を有する底版部３５を備える集束継手３Ｂに、凹部３５ｂを設ける場合について説明したが、これに限定されるものではなく、直立壁部を有しない底版部に凹部を設けるものであってもよい。
【図面の簡単な説明】
【０１０７】
【図１】本発明の最良の実施の形態の集束継手の構成を説明する縦断面図である。
【図２】本発明の最良の実施の形態の集束継手が構造物に取り付けられた状態を説明する断面図である。
【図３】本発明の最良の実施の形態の集束継手の構成を説明する斜視図である。
【図４】実施例１の集束継手の構成を説明する縦断面図である。
【図５】実施例１の集束継手の構成を説明する斜視図である。
【図６】実施例２の集束継手の構成を説明する斜視図である。
【符号の説明】
【０１０８】
Ｃ          埋設管立上構造
Ｌ          同一直線
１１        電柱（構造物）
１２        地盤
２１        立上鞘管
３，３Ａ，３Ｂ  集束継手
３１        底版部
３１ａ      外周面
３２        立上筒部
３２ａ      外周面
３２ｂ      凹部
３２１      括れ部
３３        テーパ状側面部
３３ａ      外周面
３３ｂ      凹部
３３ｃ      下端
３４        スリーブ部
３５        底版部
３５ａ      外周面
３５ｂ      凹部
３５１      直立壁部
３５２      スリーブ部
４１        曲管（埋設鞘管）
【図１】
0004991509.tif 000002
【図２】
0004991509.tif 000003
【図３】
0004991509.tif 000004
【図４】
0004991509.tif 000005
【図５】
0004991509.tif 000006
【図６】
0004991509.tif 000007